Podtech/llm-jp-corpus-v4-ja_patent huggingface dataset:
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
１６〜３０個の連結したヌクレオシドからなり、配列番号１４０、８〜１３９及び１４１〜２００のいずれかの少なくとも１６個の連続した核酸塩基を含む核酸塩基配列を含む修飾オリゴヌクレオチドを含む化合物であって、該修飾オリゴヌクレオチドの各ヌクレオシドが２’−置換糖部分を含み、各２’−置換糖部分が２’−ＭＯＥであり、該修飾オリゴヌクレオチドの核酸塩基配列が、前記オリゴヌクレオチドの全長にわたって測定される際、配列番号１の等長領域に１００％相補的である、上記化合物。
【請求項２】
修飾オリゴヌクレオチドが、１６〜２２個の連結したヌクレオシドからなる、請求項１に記載の化合物。
【請求項３】
修飾オリゴヌクレオチドの少なくとも１つの核酸塩基が修飾核酸塩基である、請求項１又は２に記載の化合物。
【請求項４】
すべてのシトシンが５−メチルシトシンである、請求項３に記載の化合物。
【請求項５】
修飾オリゴヌクレオチドが、少なくとも１つの修飾ヌクレオシド間結合を含む、請求項１〜４のいずれか１項に記載の化合物。
【請求項６】
修飾ヌクレオシド間結合がホスホロチオエートヌクレオシド間結合である、請求項５に記載の化合物。
【請求項７】
少なくとも１つの修飾ヌクレオシド間結合がホスホロチオエート結合であり、少なくとも１つのヌクレオシド間結合がホスホジエステル結合である、請求項６に記載の化合物。
【請求項８】
各ヌクレオシド間結合が修飾ヌクレオシド間結合である、請求項１〜４のいずれか１項に記載の化合物。
【請求項９】
各修飾ヌクレオシド間結合がホスホロチオエートヌクレオシド間結合である、請求項８に記載の化合物。
【請求項１０】
少なくとも１つの共役体を含む、請求項１〜９のいずれか１項に記載の化合物。
【請求項１１】
１８個の連結したヌクレオシドからなり、配列番号１４０の１８個の連続した核酸塩基を含む核酸塩基配列を有する一本鎖修飾オリゴヌクレオチドであって、該修飾オリゴヌクレオチドの各ヌクレオシドが２’−置換糖部分を含み、各ヌクレオシド間結合がホスホロチオエートヌクレオシド間結合またはホスホジエステルヌクレオシド間結合である、上記一本鎖修飾オリゴヌクレオチド。
【請求項１２】
少なくとも１つの２’−置換糖部分の２’−置換基が２’−ＭＯＥおよび／または２’−ＯＣＨ３である、請求項１１に記載の一本鎖修飾オリゴヌクレオチド。
【請求項１３】
各ヌクレオシド間結合がホスホロチオエートヌクレオシド間結合である、請求項１１又は１２に記載の一本鎖修飾オリゴヌクレオチド。
【請求項１４】
請求項１１〜１３のいずれか１項に記載の一本鎖修飾オリゴヌクレオチド、および少なくとも１つの共役体を含む、化合物。
【請求項１５】
請求項１〜１０及び１４のいずれか１項に記載の化合物、または請求項１１〜１３のいずれか１項に記載の一本鎖修飾オリゴヌクレオチドを含む、医薬組成物。
【請求項１６】
薬学的に許容される担体または希釈剤をさらに含む、請求項１５に記載の医薬組成物。
【請求項１７】
薬学的に許容される希釈剤がリン酸緩衝生理食塩水（ＰＢＳ）である、請求項１６に記載の医薬組成物。
【請求項１８】
化合物の修飾オリゴヌクレオチド、または一本鎖修飾オリゴヌクレオチドがナトリウム塩である、請求項１５〜１７のいずれか１項に記載の医薬組成物。
【請求項１９】
タウ関連障害に関連する１つ以上の症状を低減若しくは改善するための、請求項１５〜１８のいずれか１項に記載の医薬組成物。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
サブユニットＨＡ１およびＨＡ２間で完全に欠失されたタンパク質分解性ループを含む改変インフルエンザ赤血球凝集素（ＨＡ）であって、前記完全に欠失されたタンパク質分解性ループが一塩基または多塩基切断部位を含み、前記改変インフルエンザＨＡが、
未改変Ｈ３  ＨＡ、
未改変Ｈ７  ＨＡ、または
未改変Ｂ型ＨＡ、ここで前記未改変インフルエンザＢ型ＨＡはＢ／Ｂｒｉｓｂａｎｅ／６０／２００８株を含まない
から誘導された、改変インフルエンザ赤血球凝集素（ＨＡ）。
【請求項２】
前記タンパク質分解性ループがリンカー配列によって完全に置き換えられている、請求項１に記載の改変インフルエンザＨＡ。
【請求項３】
前記一塩基切断部位がＣｌａｒａ様プロテアーゼによって認識される、請求項１または２に記載の改変インフルエンザＨＡ。
【請求項４】
前記Ｃｌａｒａ様プロテアーゼがトリプターゼＣｌａｒａまたはトリプシン／キモトリプシンである、請求項３に記載の改変インフルエンザＨＡ。
【請求項５】
前記多塩基切断部位がフューリン様またはスブチリシン様プロテアーゼによって認識される、請求項１または２に記載の改変インフルエンザＨＡ。
【請求項６】
前記フューリン様プロテアーゼがフューリンである、請求項５に記載の改変インフルエンザＨＡ。
【請求項７】
前記切断部位が、インフルエンザＢ型  ＨＡについてのアミノ酸配列ＫＥＲ、ＰＡＫまたはそれらの組合せを含む、請求項１に記載の改変インフルエンザＨＡ。
【請求項８】
前記未改変Ｈ３  ＨＡが、配列番号１９、１２２または１３９によって定義される野生型Ｈ３配列と９０％から１００％配列同一性を含み、前記未改変Ｈ７  ＨＡが、配列番号１５０によって定義される野生型Ｈ７配列と９０％から１００％配列同一性を含み、前記未改変Ｂ型ＨＡが、配列番号５４によって定義される野生型Ｂ型配列と９０％から１００％配列同一性を含む、請求項１に記載の改変インフルエンザＨＡ。
【請求項９】
請求項１から８のいずれか１項に記載の改変インフルエンザＨ３、Ｈ７またはＢ型ＨＡをコードする核酸。
【請求項１０】
植物において活性な調節領域および植物において活性な発現エンハンサーをさらに含む請求項９に記載の核酸であって、前記調節領域および前記発現エンハンサーは、改変インフルエンザＨＡをコードする核酸に作動可能に連結しており、前記発現エンハンサーは、５’ＵＴＲ、３’ＵＴＲまたは５’ＵＴＲおよび３’ＵＴＲを含む、核酸。
【請求項１１】
請求項１から８のいずれか１項に記載の改変インフルエンザＨＡを含む、ウイルス様粒子（ＶＬＰ）。
【請求項１２】
前記ＶＬＰが、植物から誘導された脂質、および植物特異的Ｎ−グリカンまたは改変Ｎ−グリカンを含む、請求項１１に記載のＶＬＰ。
【請求項１３】
免疫応答を誘発するための有効用量の請求項１から８のいずれか１項に記載の改変インフルエンザＨＡと薬学的に許容される担体とを含む組成物。
【請求項１４】
免疫応答を誘発するための有効用量の請求項１１または１２に記載のＶＬＰと薬学的に許容される担体とを含む組成物。
【請求項１５】
植物または植物の一部分においてウイルス様粒子（ＶＬＰ）を生成する方法であって、
ａ）請求項９または１０に記載の核酸を、前記植物または前記植物の一部分に導入するステップ；および
ｂ）前記核酸の一過的な発現を可能にする条件下で前記植物または前記植物の一部分をインキュベートすることによって前記ＶＬＰを生成するステップ
を含む、方法。
【請求項１６】
植物または植物の一部分においてウイルス様粒子（ＶＬＰ）の収量を増加させる方法であって、
ａ）請求項９または１０に記載の核酸を前記植物または前記植物の一部分に導入するステップ；および
ｂ）前記核酸の一過的な発現を可能にする条件下で前記植物または前記植物の一部分をインキュベートすることによって前記ＶＬＰを生成するステップであって、前記ＶＬＰの収量が、野生型ＨＡを発現する植物または植物の一部分において発現されるＶＬＰの収量と比較した場合に増加している、ステップ
を含む、方法。
【請求項１７】
請求項１から８のいずれか１項に記載の改変インフルエンザＨＡを含む植物物質。
【請求項１８】
請求項１から８のいずれか１項に記載の改変インフルエンザ型Ｈ３、Ｈ７またはＢ型ＨＡタンパク質を生成するための植物細胞。
【請求項１９】
請求項１から８のいずれか１項に記載の改変インフルエンザ型Ｈ３、Ｈ７またはＢ型ＨＡタンパク質を含む植物。
【請求項２０】
改変インフルエンザ型Ｈ３、Ｈ７またはＢ型ＨＡタンパク質を生成するための植物であって、前記植物は請求項９または１０に記載の核酸を含む、植物。
【請求項２１】
請求項１１または１２に記載のＶＬＰを生成するための植物であって、前記ＶＬＰは改変インフルエンザ型Ｈ３、Ｈ７またはＢ型ＨＡタンパク質を含む、植物。
【請求項２２】
免疫応答を誘発するための有効用量の請求項１３または１４に記載の組成物を含むワクチン。
【請求項２３】
被験体においてインフルエンザウイルス感染に対する免疫を誘発するための方法であって、請求項１３または１４に記載の組成物を投与することを含む、方法。
【請求項２４】
前記組成物が、経口、皮内、鼻腔内、筋内、腹腔内、静脈内または皮下で被験体に投与される、請求項２３に記載の方法。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
電子タバコカートリッジであって、
非タバコ植物及びエアロゾルフォーマを含有する充填物とマウスピースとを備え、
シートを巻いてなる移送部材を前記マウスピースと前記充填物との間に備えることを特徴とする、電子タバコカートリッジ。
【請求項２】
電子タバコカートリッジであって、
非タバコ植物及びエアロゾルフォーマを含有する充填物とマウスピースとを備え、
中空の管状部材からなる移送部材を前記マウスピースと前記充填物との間に備えることを特徴とする、電子タバコカートリッジ。
【請求項３】
さらに支持要素を備え、
前記充填物、前記支持要素及び前記移送部材が、充填物側からこの順序で配置されており、
前記マウスピース、前記充填物、前記支持要素及び前記移送部材が包装部材によって包装されている、請求項１又は２に記載の電子タバコカートリッジ。
【請求項４】
前記充填物が、さらにデンプンを含有する、請求項１〜３のいずれかに記載の電子タバコカートリッジ。
【請求項５】
前記充填物が、さらに微結晶セルロースを含有する、請求項１〜４のいずれかに記載の電子タバコカートリッジ。
【請求項６】
前記充填物が、さらにゴム、セルロース結合剤、有機酸又は多糖類を含有する、請求項１〜５のいずれかに記載の電子タバコカートリッジ。
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
非タバコ植物、エアロゾルフォーマ、メントール、及び非水溶性架橋ポリマーを含有する電子タバコ用充填物と、
マウスピースと、を備える電子タバコカートリッジであって、
シートを巻いてなる移送部材を前記マウスピースと前記電子タバコ用充填物との間に備えることを特徴とする、電子タバコカートリッジ。
【請求項２】
非タバコ植物、エアロゾルフォーマ、メントール、及び非水溶性架橋ポリマーを含有する電子タバコ用充填物と、
マウスピースと、を備える電子タバコカートリッジであって、
中空の管状部材からなる移送部材を前記マウスピースと前記充填物との間に備えることを特徴とする、電子タバコカートリッジ。
【請求項３】
前記非水溶性架橋ポリマーがポリビニルポリピロリドンである、請求項１又は２に記載の電子タバコカートリッジ。
【請求項４】
前記電子タバコ用充填剤がさらにデンプンを含有する、請求項１〜３のいずれかに記載の電子タバコカートリッジ。
【請求項５】
前記電子タバコ用充填剤がさらにゴム、セルロース結合剤、有機酸又は多糖類を含有する、請求項１〜４のいずれかに記載の電子タバコカートリッジ。
【請求項６】
さらに支持要素を備え、
前記電子タバコ用充填物、前記支持要素及び前記移送部材が、充填物側からこの順序で配置され、
マウスピース側から前記マウスピースが配置され、
前記マウスピース、前記電子タバコ用充填物、前記支持要素及び前記移送部材が包装部材によって包装されている、請求項１〜５のいずれかに記載の電子タバコカートリッジ。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数の可変表示列を有する図柄表示手段と、前記複数の可変表示列それぞれに対応してその可変表示を停止させる停止操作手段とを有し、全ての前記可変表示列が停止したときの図柄組合せに応じて遊技用価値が付与される遊技機において、
遊技の進行に関する制御を行うメイン制御手段と、
前記メイン制御手段から送信される情報に基づき遊技の進行に合わせた演出の制御を行うサブ制御手段とを備え、
前記メイン制御手段は、
前記停止操作手段が所定操作態様で操作された場合は、該所定操作態様で操作されなかった場合よりも、多くの前記遊技用価値が付与される特定役を含む複数種類の役について当選か否かを決定する役抽選を行う役抽選手段と、
特定遊技状態で前記特定役に当選した場合は、前記所定操作態様を特定可能に報知する特殊遊技を実行可能な特殊遊技制御手段と、
前記特定役に当選しても前記特殊遊技の実行を許容しない所定遊技状態から、前記特定遊技状態に移行するか否かを決定する特定遊技状態移行決定手段と、
前記停止操作手段の操作に基づき前記複数の可変表示列の夫々の可変表示を停止する停止制御を行う停止制御手段と、
全ての前記可変表示列が停止したときの図柄組合せに基づいて、前記遊技用価値の付与処理を行う付与制御手段と、
遊技に関わる情報のうち特定の情報に係るデータを集計する集計手段と、
前記集計手段により集計されたデータを用いて所定の演算を行う演算手段と、
前記サブ制御手段への送信情報の内容を設定する送信情報設定手段と
を備え、
前記送信情報設定手段による設定は、役抽選結果の設定を含み、
前記送信情報設定手段は、
前記特定遊技状態で前記特定役に当選した場合は、前記役抽選結果の設定として、前記所定操作態様を特定不能である当選役の種類に関する設定と、前記所定操作態様を特定可能な情報とを設定可能である一方、
前記所定遊技状態で前記特定役に当選した場合は、前記役抽選結果の設定として、前記所定操作態様を特定不能である当選役の種類に関する設定は行うが、前記所定操作態様を特定可能な情報の設定は行わず、
前記集計手段が集計する前記データとして、前記所定操作態様で操作されたか否かにかかわらず、前記特殊遊技で付与された前記遊技用価値の付与量を含むものがあり、
前記集計手段は、前記送信情報設定手段により前記所定操作態様を特定可能な情報の設定に基づいて、前記付与制御手段が付与処理を行った前記遊技用価値の付与量を、前記特殊遊技で付与された前記遊技用価値の付与量として集計する
ことを特徴とする遊技機。
【手続補正２】
【補正対象書類名】明細書
【補正対象項目名】０００２
【補正方法】変更
【補正の内容】
【０００２】
従来、回胴式遊技機であるスロットマシンでは、左・中・右ストップスイッチの操作態様によって配当が異なる役（押し順役）を設け、所定条件が成立すると、当該役の当選時に有利な操作態様を報知し、遊技者の所有メダルを増加させるものがある。また、有利な操作態様を報知することを許容する特殊遊技状態（有利区間）では、報知ランプを点灯してその旨を報知するものもある。この種のスロットマシンとして、総遊技数や有利区間での遊技数（有利区間遊技数）、遊技用価値として用いるメダルの総払出枚数や役物払出枚数等を集計するものが提案されている。（例えば、特許文献１参照）。
【手続補正３】
【補正対象書類名】明細書
【補正対象項目名】０００３
【補正方法】変更
【補正の内容】
【０００３】
【特許文献１】特許第６１５１４１４号（例えば、段落０２３７〜０２８５等）
【手続補正４】
【補正対象書類名】明細書
【補正対象項目名】０００４
【補正方法】変更
【補正の内容】
【０００４】
特許文献１に記載の遊技機では、集計の処理に未だ改善の余地がある。
【手続補正５】
【補正対象書類名】明細書
【補正対象項目名】０００５
【補正方法】変更
【補正の内容】
【０００５】
本発明は、上記課題に鑑みてなされたものであり、遊技に関わる情報のうち特定の情報に係るデータに対する好適な集計の処理を備えた遊技機を提供することを目的とする。
【手続補正６】
【補正対象書類名】明細書
【補正対象項目名】０００６
【補正方法】変更
【補正の内容】
【０００６】
上記した目的を達成するために、本発明に係る遊技機は、複数種類の図柄を可変表示する複数の可変表示列を有する図柄表示手段と、前記複数の可変表示列それぞれに対応してその可変表示を停止させる停止操作手段とを有し、全ての前記可変表示列が停止したときの図柄組合せに応じて遊技用価値が付与される遊技機において、遊技の進行に関する制御を行うメイン制御手段と、前記メイン制御手段から送信される情報に基づき遊技の進行に合わせた演出の制御を行うサブ制御手段とを備え、前記メイン制御手段は、前記停止操作手段が所定操作態様で操作された場合は、該所定操作態様で操作されなかった場合よりも、多くの前記遊技用価値が付与される特定役を含む複数種類の役について当選か否かを決定する役抽選を行う役抽選手段と、特定遊技状態で前記特定役に当選した場合は、前記所定操作態様を特定可能に報知する特殊遊技を実行可能な特殊遊技制御手段と、前記特定役に当選しても前記特殊遊技の実行を許容しない所定遊技状態から、前記特定遊技状態に移行するか否かを決定する特定遊技状態移行決定手段と、前記停止操作手段の操作に基づき前記複数の可変表示列の夫々の可変表示を停止する停止制御を行う停止制御手段と、全ての前記可変表示列が停止したときの図柄組合せに基づいて、前記遊技用価値の付与処理を行う付与制御手段と、遊技に関わる情報のうち特定の情報に係るデータを集計する集計手段と、前記集計手段により集計されたデータを用いて所定の演算を行う演算手段と、前記サブ制御手段への送信情報の内容を設定する送信情報設定手段とを備え、前記送信情報設定手段による設定は、役抽選結果の設定を含み、前記送信情報設定手段は、前記特定遊技状態で前記特定役に当選した場合は、前記役抽選結果の設定として、前記所定操作態様を特定不能である当選役の種類に関する設定と、前記所定操作態様を特定可能な情報とを設定可能である一方、前記所定遊技状態で前記特定役に当選した場合は、前記役抽選結果の設定として、前記所定操作態様を特定不能である当選役の種類に関する設定は行うが、前記所定操作態様を特定可能な情報の設定は行わず、前記集計手段が集計する前記データとして、前記所定操作態様で操作されたか否かにかかわらず、前記特殊遊技で付与された前記遊技用価値の付与量を含むものがあり、前記集計手段は、前記送信情報設定手段により前記所定操作態様を特定可能な情報の設定に基づいて、前記付与制御手段が付与処理を行った前記遊技用価値の付与量を、前記特殊遊技で付与された前記遊技用価値の付与量として集計することを特徴としている。
【手続補正７】
【補正対象書類名】明細書
【補正対象項目名】０００７
【補正方法】変更
【補正の内容】
【０００７】
この構成によると、好適な集計の処理を備えた遊技機を提供することができる。
【手続補正書】
【提出日】令和2年10月7日(2020.10.7)
【手続補正１】
【補正対象書類名】明細書
【補正対象項目名】０００２
【補正方法】変更
【補正の内容】
【０００２】
従来、遊技機の代表例としてパチンコ機がある。このパチンコ機では、遊技領域に設けられた始動口に遊技球が入賞すること（始動入賞）に基づいて、遊技領域に設けられた表示装置に、識別情報（図柄、記号など）を変動表示する変動表示ゲームを表示するとともに当該変動表示ゲームに応じた演出を表示するようにしている（例えば、特許文献１参照）。
【手続補正２】
【補正対象書類名】明細書
【補正対象項目名】０００３
【補正方法】変更
【補正の内容】
【０００３】
【特許文献１】特開２０１４−１４４０２０号公報
【手続補正３】
【補正対象書類名】明細書
【補正対象項目名】０００４
【補正方法】変更
【補正の内容】
【０００４】
ところで、表示装置に表示するゲームの演出に関して興趣の向上の余地がある。本発明の目的は、遊技の興趣を向上することである。
【手続補正４】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行し、当該ゲームの結果が特別結果となった場合に、遊技者に有利となる遊技機において、
遊技に係る演出を表示可能な表示手段と、
前記表示手段を制御する演出制御手段と、を備え、
前記演出制御手段は、
前記ゲームの結果が前記特別結果となる期待度が異なるように設定された複数種類の基本演出と、
前記複数種類の基本演出の実行中に実行可能であり、当該複数種類の基本演出のそれぞれに対して共通に実行可能な共通演出と、を前記ゲームの実行中に前記表示手段に表示可能であることを特徴とする。
【手続補正５】
【補正対象書類名】特許請求の範囲
【補正対象項目名】全文
【補正方法】変更
【補正の内容】
【特許請求の範囲】
【請求項１】
所定条件の成立に基づきゲームを実行し、当該ゲームの結果が特別結果となった場合に、遊技者に有利となる遊技機において、
遊技に係る演出を表示可能な表示手段と、
前記表示手段を制御する演出制御手段と、を備え、
前記演出制御手段は、
前記ゲームの結果が前記特別結果となる期待度が異なるように設定された複数種類の基本演出と、
前記複数種類の基本演出の実行中に実行可能であり、当該複数種類の基本演出のそれぞれに対して共通に実行可能な共通演出と、を前記ゲームの実行中に前記表示手段に表示可能であることを特徴とする遊技機。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御される確率に関する設定値を設定可能な遊技機であって、
操作手段と、
遊技機への電源供給が開始されたときに前記操作手段が操作されたことにもとづいて、設定値を設定するための設定処理を含む複数の処理を実行可能な処理実行手段と、
前記操作手段の状態がオフ状態からオン状態に切り替わったことにもとづいて、前記操作手段が操作されたと判定可能な判定手段と、
前回の前記操作手段の状態を記憶する第１状態記憶手段と、
今回の前記操作手段の状態を記憶する第２状態記憶手段と、
遊技機への電源供給が開始されたときに前記操作手段が操作されたことを示す特定情報を記憶可能な特定情報記憶手段と、を備え、
前記処理実行手段は、前記設定処理において、前記判定手段によって前記操作手段が操作されたと判定されたことにもとづいて設定値を設定可能であり、
前記判定手段は、前記第１状態記憶手段の記憶内容がオフ状態であり且つ前記第２状態記憶手段の記憶内容がオン状態であることにもとづいて、前記操作手段が操作されたと判定可能であり、
前記第１状態記憶手段は、前記設定処理が開始されたときの初回の前記操作手段の状態としてオン状態を記憶し、
前記処理実行手段は、前記設定処理を含む複数の処理を実行する際に、処理ごとに、前記操作手段が操作されたことを判定することなく、前記特定情報が記憶されていると判定したことにもとづいて処理を実行する
ことを特徴とする遊技機。
【手続補正２】
【補正対象書類名】明細書
【補正対象項目名】０００２
【補正方法】変更
【補正の内容】
【０００２】
遊技者にとって有利な有利状態に制御される確率に関する設定値を設定可能に構成されたパチンコ遊技機として、例えば、特許文献１に記載されたものがある。特許文献１には、ＲＡＭクリアスイッチが操作され、設定キースイッチがオン状態であれば、初期設定２が実行され、抽選確率を変更することが記載されている。また、設定キースイッチは、設定スイッチを有効するために使用され、設定スイッチが示す設定１〜３に対応した特図の当り抽選確率が設定されることが記載されている。
【手続補正３】
【補正対象書類名】明細書
【補正対象項目名】０００３
【補正方法】変更
【補正の内容】
【０００３】
【特許文献１】特開２０１７−６０５４６号公報
【手続補正４】
【補正対象書類名】明細書
【補正対象項目名】０００４
【補正方法】変更
【補正の内容】
【０００４】
しかしながら、特許文献１に記載の遊技機にあっては、遊技者にとって有利な有利状態に制御される確率に関する設定値を設定可能に構成した遊技機において、必ずしも適切に処理を行うことができないおそれがある。
【手続補正５】
【補正対象書類名】明細書
【補正対象項目名】０００５
【補正方法】変更
【補正の内容】
【０００５】
この発明は、遊技者にとって有利な有利状態に制御される確率に関する設定値を設定可能に構成した遊技機において、好適に処理を行うことができるようにすることを目的とする。
【手続補正６】
【補正対象書類名】明細書
【補正対象項目名】０００６
【補正方法】変更
【補正の内容】
【０００６】
本発明による遊技機は、
遊技者にとって有利な有利状態に制御される確率に関する設定値（例えば、設定値「１」〜設定値「３」）を設定可能な遊技機であって、
操作手段（例えば、クリアスイッチ）と、
遊技機への電源供給が開始されたときに前記操作手段が操作されたことにもとづいて、設定値を設定するための設定処理を含む複数の処理を実行可能な処理実行手段（例えば、遊技制御用マイクロコンピュータ１００におけるステップ１５０ＩＷＳ０３９〜Ｓ０４２を実行する部分）と、
前記操作手段の状態がオフ状態からオン状態に切り替わったことにもとづいて、前記操作手段が操作されたと判定可能な判定手段（例えば、遊技制御用マイクロコンピュータ１００におけるステップ１５０ＩＷＳ０４１を実行する部分）と、
前回の前記操作手段の状態を記憶する第１状態記憶手段と、
今回の前記操作手段の状態を記憶する第２状態記憶手段と、
遊技機への電源供給が開始されたときに前記操作手段が操作されたことを示す特定情報（例えば、ＲＡＭクリアフラグ）を記憶可能な特定情報記憶手段（例えば、ＲＡＭ１２２）と、を備え、
前記処理実行手段は、前記設定処理において、前記判定手段によって前記操作手段が操作されたと判定されたことにもとづいて設定値を設定可能であり（例えば、遊技制御用マイクロコンピュータ１００は、ステップ１５０ＩＷＳ０４１でＹのとき、ステップ１５０ＩＷＳ０４２を実行する）、
前記判定手段は、前記第１状態記憶手段の記憶内容がオフ状態であり且つ前記第２状態記憶手段の記憶内容がオン状態であることにもとづいて、前記操作手段が操作されたと判定可能であり、
前記第１状態記憶手段は、前記設定処理が開始されたときの初回の前記操作手段の状態としてオン状態を記憶し（例えば、遊技制御用マイクロコンピュータ１００は、ステップ１５０ＩＷＳ０３６でＮのとき、ステップ１５０ＩＷＳ０３７を実行する）、
前記処理実行手段は、前記設定処理を含む複数の処理を実行する際に、処理ごとに、前記操作手段が操作されたことを判定することなく、前記特定情報が記憶されていると判定したことにもとづいて処理を実行する（例えば、遊技制御用マイクロコンピュータ１００におけるステップ１５０ＩＷＳ０２５，Ｓ０３４，Ｓ０４８を実行する部分）
ことを特徴とする。
そのような構成によれば、遊技者にとって有利な有利状態に制御される確率に関する設定値を設定可能に構成した遊技機において、好適に処理を行うことができる。すなわち、操作手段（本例では、クリアスイッチ）が継続して押下されている状態であるにもかかわらず、意図せず設定値を設定してしまう自体を防止することができ、好適に処理を行うことができる。
また、特に、設定値の設定というある程度処理時間がかかる処理において、特定情報（本例では、ＲＡＭクリアフラグ）を記憶しておき、そのＲＡＭクリアフラグを確認して処理を実行することによって、好適に処理を行うことができる。
（１）また、本発明による遊技機の他の態様は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
第１のプレイヤと第２のプレイヤとでプレイされるゲーム玩具であって、
各プレイヤ用に設けられた、ゲーム要素が対応付けられたゲーム物品と、
前記ゲーム物品を配置するプレイフィールドと、
ゲーム進行において、いずれのプレイヤの行動ターンであるかを表示する表示具と、
を備え、
各プレイヤは、行動ターンにおいて、該プレイヤ用に設けられた前記ゲーム物品を、前記プレイフィールドに配置すること、及び使用するものとして提示すること、の少なくともいずれかの行動を実行可能であり、
前記表示具の表示は、行動ターンのプレイヤにより実行された前記行動に応じて移動可能に構成されたマーカ、前記第１のプレイヤに対応付けられた第１の領域、前記第２のプレイヤに対応付けられた第２の領域、及び前記第１の領域と前記第２の領域とに渡って表示される前記マーカの移動経路、を含み、前記移動経路における前記マーカの配置位置が前記第１の領域と前記第２の領域のいずれにあるかに応じて、いずれのプレイヤの行動ターンであるかを示し、
前記ゲーム物品には、行動ターンのプレイヤにより前記行動が実行される場合に参照される数値情報が表示されており、
前記マーカは、行動ターンのプレイヤによる前記行動が実行された場合に、該行動に係る前記ゲーム物品の前記数値情報に基づいて前記移動経路における次の配置位置が確定するゲーム玩具。
【請求項２】
前記表示具は、前記移動経路において
前記マーカが前記第１の領域に配置されている場合に、前記第１のプレイヤの行動ターンであることを示し、
前記マーカが前記第２の領域に配置されている場合に、前記第２のプレイヤの行動ターンであることを示す
請求項１に記載のゲーム玩具。
【請求項３】
前記マーカの前記次の配置位置は、前記行動に係るゲーム物品の前記数値情報で示される数値に対応する量、現在の配置位置から離間した位置に確定する請求項１または２に記載のゲーム玩具。
【請求項４】
前記マーカの前記次の配置位置は、前記移動経路において、行動ターンのプレイヤに対応する領域から相手のプレイヤに対応する領域に向かう方向に、前記現在の配置位置から離間した位置に確定する請求項３に記載のゲーム玩具。
【請求項５】
前記移動経路は、前記マーカの移動単位を示す表示を含む請求項１乃至４のいずれか１項に記載のゲーム玩具。
【請求項６】
前記表示具は、前記プレイフィールドと一体となって構成される請求項１乃至５のいずれか１項に記載のゲーム玩具。
【手続補正２】
【補正対象書類名】明細書
【補正対象項目名】０００７
【補正方法】変更
【補正の内容】
【０００７】
本発明のゲーム玩具は、第１のプレイヤと第２のプレイヤとでプレイされるゲーム玩具であって、各プレイヤ用に設けられた、ゲーム要素が対応付けられたゲーム物品と、ゲーム物品を配置するプレイフィールドと、ゲーム進行において、いずれのプレイヤの行動ターンであるかを表示する表示具と、を備え、各プレイヤは、行動ターンにおいて、該プレイヤ用に設けられたゲーム物品を、プレイフィールドに配置すること、及び使用するものとして提示すること、の少なくともいずれかの行動を実行可能であり、表示具の表示は、行動ターンのプレイヤにより実行された行動に応じて移動可能に構成されたマーカ、第１のプレイヤに対応付けられた第１の領域、第２のプレイヤに対応付けられた第２の領域、及び第１の領域と第２の領域とに渡って表示されるマーカの移動経路、を含み、移動経路におけるマーカの配置位置が第１の領域と第２の領域のいずれにあるかに応じて、いずれのプレイヤの行動ターンであるかを示し、ゲーム物品には行動ターンのプレイヤにより行動が実行される場合に参照される数値情報が表示されており、マーカは、行動ターンのプレイヤによる行動が実行された場合に、該行動に係るゲーム物品の数値情報に基づいて移動経路における次の配置位置が確定する。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
フロントパネルを有する、タブレットフォームファクタの筐体と、
少なくとも１つのプロセッサと少なくとも１つのメモリとを有する、前記筐体の内部に配置されたコンピュータと、
前記筐体の前記フロントパネル上に配置され、前記コンピュータと通信可能に接続されたタッチスクリーンディスプレイと、
前記コンピュータと通信可能に接続された超音波ビームフォーミングデバイスと、
を備え、
前記タッチスクリーンディスプレイと前記コンピュータとは、前記筐体内のバッテリから電力を受け取り、
前記プロセッサは、前記タッチスクリーンディスプレイ上の複数のジェスチャを検出することにより、タッチで作動する複数の動作モードの少なくとも１つを選択的に開始するべく、前記メモリからの複数のプログラム命令を実行するよう動作可能であり、
タッチで作動する前記複数の動作モードは、
複数の超音波信号の貫通の深さを制御する第１の動作モード、
超音波画像の色制御を実行する第２の動作モード、
複数の表示された超音波画像を含む、分割されたスクリーン超音波画像表示領域を選択する第３の動作モード、
のうちの１又はそれ以上を含む、
携帯可能な医療超音波撮像デバイス。
【請求項２】
前記コンピュータは、ディスプレイコントローラに接続され、
前記複数の動作モードは、
ＰＷ撮像を実行する第４の動作モード、
シネ／時系列画像クリップスクロールを制御する第５の動作モードと、
複数のズーム及びパン動作を制御する第６の動作モード、
ドップラー及び二次元ビームステアリング制御を実行する第７の動作モード、及び、
ボディマークを実行する第８の動作モード、
をさらに含む、
請求項１に記載の携帯可能な医療超音波撮像デバイス。
【請求項３】
複数の異なるトランスデューサプローブは、前記タブレットフォームファクタの前記筐体に、操作可能に接続されることができ、
前記超音波ビームフォーミングデバイスは、
前記複数の異なるトランスデューサプローブのそれぞれの内部に、少なくとも６４チャネル又は少なくとも１２８チャネルを有する集積回路を有するビームフォーマー回路を備えることができ、
それぞれに対応する前記トランスデューサプローブの内部のビームフォーマー制御回路に接続される、
請求項１又は請求項２に記載の携帯可能な医療超音波撮像デバイス。
【請求項４】
前記超音波ビームフォーミングデバイスが、トランスデューサプローブ筐体の内部に収容される、
請求項１に記載の携帯可能な医療超音波撮像デバイス。
【請求項５】
前記超音波ビームフォーミングデバイスが、前記タブレットフォームファクタの前記筐体の内部に収容される、
請求項１に記載の携帯可能な医療超音波撮像デバイス。
【請求項６】
前記筐体は、バイプレーントランスデューサプローブと通信可能に接続される、
請求項１に記載の携帯可能な医療超音波撮像デバイス。
【請求項７】
前記バイプレーントランスデューサプローブは、第２のマルチエレメントトランスデューサアレイに直交する第１のマルチエレメントトランスデューサアレイを有する、
請求項６に記載の携帯可能な医療超音波撮像デバイス。
【請求項８】
前記第１のマルチエレメントトランスデューサアレイは、前記第２のマルチエレメントトランスデューサアレイと同一の方向に沿って方向づけられている、
請求項７に記載の携帯可能な医療超音波撮像デバイス。
【請求項９】
前記分割されたスクリーンは、患者の心臓の第１の心尖の図と、前記心臓の第２の図とを表示する、
請求項１から請求項８までの何れか一項に記載の携帯可能な医療超音波撮像デバイス。
【請求項１０】
フロントパネルを有する、タブレットフォームファクタの筐体と、
少なくとも１つのプロセッサと少なくとも１つのメモリとを有する、前記筐体の内部に配置されたコンピュータと、
前記筐体の前記フロントパネル上に配置され、前記コンピュータと通信可能に接続されたタッチスクリーンディスプレイと、
前記コンピュータと通信可能に接続された超音波ビームフォーミングデバイスと、
を備え、
前記タッチスクリーンディスプレイと前記コンピュータとは、前記筐体内のバッテリから電力を受け取り、
前記プロセッサは、前記タッチスクリーンディスプレイ上の複数のジェスチャを検出することにより、タッチで作動する複数の動作制御モードの少なくとも１つを選択的に開始するべく、前記メモリからの複数のプログラム命令を実行するよう動作可能であり、
タッチで作動する前記複数の動作制御モードは、
複数の超音波信号の貫通の深さを制御する第１の動作モード、
利得制御を実行する第２の動作モード、
超音波画像の色制御を実行する第３の動作モード、
複数の表示された超音波画像を含む、分割されたスクリーン超音波画像表示領域を選択する第４の動作モード、
のうちの１又はそれ以上を含む、
携帯可能な医療超音波撮像デバイス。
【請求項１１】
前記コンピュータは、ディスプレイコントローラに接続され、
タッチで作動する前記複数の動作制御モードは、
ＰＷ撮像を実行する第５の動作モード、
シネ／時系列画像クリップスクロールを制御する第６の動作モードと、
複数のズーム及びパン動作を制御する第７の動作モード、
ドップラー及び二次元ビームステアリング制御を実行する第８の動作モード、及び、
ボディマークを実行する第９の動作モード、
をさらに含む、
請求項１０に記載の携帯可能な医療超音波撮像デバイス。
【請求項１２】
前記超音波ビームフォーミングデバイスが、トランスデューサプローブ筐体の内部に収容される、
請求項１０に記載の携帯可能な医療超音波撮像デバイス。
【請求項１３】
前記超音波ビームフォーミングデバイスが、前記タブレットフォームファクタの前記筐体の内部に収容される、
請求項１０に記載の携帯可能な医療超音波撮像デバイス。
【請求項１４】
前記筐体は、バイプレーントランスデューサプローブと通信可能に接続される、
請求項１０に記載の携帯可能な医療超音波撮像デバイス。
【請求項１５】
前記バイプレーントランスデューサプローブは、第２のマルチエレメントトランスデューサアレイに直交する第１のマルチエレメントトランスデューサアレイを有する、
請求項１４に記載の携帯可能な医療超音波撮像デバイス。
【請求項１６】
前記第１のマルチエレメントトランスデューサアレイは、前記第２のマルチエレメントトランスデューサアレイと同一の方向に沿って方向づけられている、
請求項１５に記載の携帯可能な医療超音波撮像デバイス。
【請求項１７】
タッチで作動する表示可能な複数のアイコンと、
超音波画像表示領域の第１の側に配される画像制御バーと、
メニュー制御バーと、
をさらに備える、
請求項１０に記載の携帯可能な医療超音波撮像デバイス。
【請求項１８】
ビームフォーミング動作を変更する移動タッチジェスチャをさらに備える、
請求項１０に記載の携帯可能な医療超音波撮像デバイス。
【請求項１９】
第１の分割されたスクリーン画像は、二次元画像を含み、
第２の分割されたスクリーン画像は、スキャン時間窓を含む、
請求項１０に記載の携帯可能な医療超音波撮像デバイス。
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
粘度指数向上剤濃縮物であって、少なくとも90％の飽和物含有率を有する非エステル系希釈オイル中に、1種またはそれ以上の水添線状ブロックコポリマーおよび少なくとも1種の星形ポリマーを含み、ここで該水添線状ブロックコポリマーは、4〜約12個の炭素原子を含むジエン由来の少なくとも一つのブロックに対して共有結合により結合された、8〜約16個の炭素原子を含むモノアルケニルアレーン由来の少なくとも一つのブロックを有し、該線状ブロックコポリマーの量は、該希釈オイル中の該線状ブロックコポリマーに関する、質量％単位で表された臨界重なり濃度(ch*)よりも大きく、該星形ポリマーのアームは、4〜約12個の炭素原子を含むジオレフィンのホモポリマーまたはコポリマー、或いは、4〜約12個の炭素原子を含有する1種またはそれ以上の共役ジオレフィンと8〜約16個の炭素原子を含む1種またはそれ以上のモノアルケニルアレーンとのコポリマーであり、該星形ポリマーは、該濃縮物中の該星形ポリマーのc/ch*値が、0.01〜約1.6の範囲に入るような量で存在し、ここでcは該濃縮物中の星形ポリマーの質量％で表した濃度であり、またch*は該希釈オイル中の該星形ポリマーに関する質量％で表された臨界重なり濃度である、
約300〜約3,000cStという、100℃における動粘度(kv100)を持つ、前記粘度指数向上剤濃縮物。
【請求項２】
前記線状ブロックコポリマーの前記ジエンブロックおよび/またはアルケニルアレーンブロックが官能化されて、ペンダントエステル、アミン、イミドまたはアミド官能基を有している、請求項１のVI向上剤濃縮物。
【請求項３】
更に、前記濃縮物の全質量を基準として、1質量％を超えるエステル系ベースストックをも含む、請求項１のVI向上剤濃縮物。
【請求項４】
前記濃縮物の全質量を基準として、約5質量％〜約60質量％のエステル系ベースストックを含む、請求項３のVI向上剤濃縮物。
【請求項５】
更に、前記濃縮物の全質量を基準として、1質量％を超えるエステル系ベースストックをも含む、請求項２のVI向上剤濃縮物。
【請求項６】
前記濃縮物の全質量を基準として、約5質量％〜約60質量％のエステル系ベースストックを含む、請求項５のVI向上剤濃縮物。
【請求項７】
少なくとも90％の飽和物含有率を有する非エステル系希釈オイル；1種またはそれ以上の水添線状ブロックコポリマー；少なくとも1種の星形ポリマー；および場合によりある量のエステル系ベースストックからなる、請求項１のVI向上剤濃縮物。
【請求項８】
少なくとも90％の飽和物含有率を有する非エステル系希釈オイル；1種またはそれ以上の水添線状ブロックコポリマー；少なくとも1種の星形ポリマー；および場合によりある量のエステル系ベースストックからなる、請求項２のVI向上剤濃縮物。
【請求項９】
VI向上剤濃縮物の形成において、少なくとも90％の飽和物含有率を有する非エステル系希釈オイル中に溶解することのできる、ジエン由来の少なくとも一つのブロックに共有結合により結合したアルケニルアレーン由来の少なくとも一つのブロックを持つ、1種またはそれ以上の水添線状ブロックコポリマーの量を、該VI向上剤濃縮物の100℃における動粘度(kv100)を約3,000cSt以上に高めることなしに、該希釈オイルにおける該水添線状ブロックコポリマーに関する、質量％で表された臨界重なり濃度(ch*)を超える量にまで高める方法であって、該方法が、該濃縮物に少なくとも一つの星形ポリマーを添加する工程を含み、該星形ポリマーのアームは、ジオレフィンのホモポリマーまたはコポリマー、或いは、1種またはそれ以上の共役ジオレフィンと1種またはそれ以上のモノアルケニル芳香族炭化水素とのコポリマーであり、該星形ポリマーは、該濃縮物中の該星形ポリマーのc/ch*値が、0.01〜約1.6の範囲に入るような量で添加され、ここでcは該濃縮物中の星形ポリマーに係る質量％で表した濃度であり、またch*は該希釈オイル中の該星形ポリマーに関する質量％で表された臨界重なり濃度である、前記方法。
【請求項１０】
前記線状ブロックコポリマーの前記ジエンブロックおよび/またはアルケニルアレーンブロックが官能化されて、ペンダントエステル、アミン、イミドまたはアミド官能基を有している、請求項９の方法。
【請求項１１】
前記濃縮物の全質量を基準として、1質量％を超えるエステル系ベースストックを、前記VI向上剤濃縮物に添加する追加の工程を含む、請求項９の方法。
【請求項１２】
前記濃縮物の全質量を基準として、約5質量％〜約60質量％のエステル系ベースストックが添加される、請求項１１の方法。
【請求項１３】
前記濃縮物の全質量を基準として、1質量％を超えるエステル系ベースストックを、前記VI向上剤濃縮物に添加する追加の工程を含む、請求項１０の方法。
【請求項１４】
前記濃縮物の全質量を基準として、約5質量％〜約60質量％のエステル系ベースストックが添加される、請求項１３の方法。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
放送局側から放送番組のコンテンツを伝送し、受信装置で前記コンテンツを受信する伝送システムの前記受信装置におけるコンテンツの保護方法であって、
前記伝送システムは、ＤＴＣＰ２のＬ２−Ｏｎｌｙフラグに対応する制御情報、ＤＴＣＰ２のＥＩフラグに対応する制御情報、ＤＴＣＰ２のＨＤＲフラグに対応する制御情報、ＤＴＣＰ２のＳＤＯフラグに対応する制御情報のいずれも放送局側から受信装置へ伝送しないものであり、
前記受信装置が前記放送局側から前記放送番組の前記コンテンツを受信する受信ステップと、
前記受信ステップで受信したコンテンツを蓄積する蓄積ステップと、
前記蓄積ステップで蓄積したコンテンツについて、前記受信装置が有するインタフェースを介して出力する出力ステップと、を備え、
前記伝送システムにおいて、前記受信装置は、ＤＴＣＰ２のＬ２−Ｏｎｌｙフラグに対応する制御情報、ＤＴＣＰ２のＥＩフラグに対応する制御情報、ＤＴＣＰ２のＨＤＲフラグに対応する制御情報、ＤＴＣＰ２のＳＤＯフラグに対応する制御情報のいずれも取得しない受信装置であり、
前記出力ステップで、前記蓄積ステップで蓄積したコンテンツについて、ＤＴＣＰ２の制御情報であるそれぞれ１ビットのＬ２−Ｏｎｌｙフラグ、ＥＩフラグ、ＨＤＲフラグ、ＳＤＯフラグを設定して前記インタフェースを介してＤＴＣＰ２によるコンテンツの保護を行って出力するとき、Ｌ２−Ｏｎｌｙフラグは０に固定され、ＨＤＲフラグは０に固定されるものであり、
前記伝送システムにおいて１世代のみコピー可の保護が指定されて伝送され、前記受信ステップで受信され、前記蓄積ステップで蓄積されたコンテンツを、ＤＴＣＰ２で保護して出力する場合もＤＴＣＰ１で保護して出力する場合も、それぞれ再生用の出力とムーブの２つの処理が実行可能である、
ことを特徴とする、コンテンツの保護方法。
【手続補正２】
【補正対象書類名】明細書
【補正対象項目名】発明の名称
【補正方法】変更
【補正の内容】
【発明の名称】コンテンツの保護方法
【手続補正３】
【補正対象書類名】明細書
【補正対象項目名】０００１
【補正方法】変更
【補正の内容】
【０００１】
本発明は、コンテンツの保護方法に関する。
【手続補正書】
【提出日】令和2年9月17日(2020.9.17)
【手続補正１】
【補正対象書類名】明細書
【補正対象項目名】発明の名称
【補正方法】変更
【補正の内容】
【発明の名称】入出力パネル
【手続補正２】
【補正対象書類名】特許請求の範囲
【補正対象項目名】全文
【補正方法】変更
【補正の内容】
【特許請求の範囲】
【請求項１】
ゲート配線と、
第１の電極と、
第２の電極と、
電流検出回路と、
画素と、を有し、
前記第１の電極は、前記ゲート配線と電気的に接続され、
前記第２の電極は、前記ゲート配線と交差し、
前記第２の電極は、前記第１の電極との間に容量を形成するように配置され、
前記電流検出回路は、前記第２の電極と電気的に接続され、
前記電流検出回路は、前記容量の変化を検知する機能を備え、
前記画素は、トランジスタおよび表示素子を備え、
前記トランジスタは、ゲート電極、ソース電極およびドレイン電極と、を備え、
前記ゲート電極は、前記ゲート配線と電気的に接続され、
前記表示素子は、第３の電極および液晶材料を備え、
前記第３の電極は、前記ソース電極または前記ドレイン電極と電気的に接続される、入出力パネル。
【請求項２】
請求項１において、
前記第３の電極は、前記第２の電極との間に前記液晶材料の配向を制御する電界を形成するよう配置される、入出力パネル。
【請求項３】
請求項２において、
前記第３の電極は、前記液晶材料および前記第２の電極の間に挟まれる領域を有する入出力パネル。
【請求項４】
請求項１において、
前記表示素子は、第４の電極を有し、
前記第３の電極は、前記第４の電極との間に前記液晶材料の配向を制御する電界を形成するよう配置され、
前記第４の電極は、共通電位が与えられる配線と電気的に接続される、入出力パネル。
【請求項５】
請求項４において、
前記第３の電極は、前記液晶材料および前記第４の電極の間に挟まれる領域を有する入出力パネル。
【請求項６】
請求項２または請求項４において、
前記第１の電極は、前記第３の電極が含む材料と同じ材料を含み、
前記第２の電極は、前記第４の電極が含む材料と同じ材料を含む入出力パネル。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
カソードに供給される空気とアノードに供給される水素含有ガスとを燃料として発電する固体酸化物型の燃料電池と、
前記燃料電池のアノードから排出されるアノードオフガスと前記燃料電池のカソードから排出されるカソードオフガスとを燃焼させ、燃焼排ガスを生成する燃焼器と、
原料の水蒸気改質により前記燃料電池のアノードに供給するための前記水素含有ガスを生成する改質器と、
前記燃焼排ガスおよび前記燃焼器のうちの少なくとも一方の温度を検知する第１温度検知器と、
前記燃焼器の火炎が形成されている状態で、前記第１温度検知器の検知温度が、予め設定された第１閾値を下回ると、前記燃料電池のカソードに供給される空気に対して前記カソードで消費される空気の割合を高くする動作、および、前記改質器に供給される水の量を少なくする動作のうち、少なくともいずれか１つの動作を行う制御器と、を備える燃料電池システム。
【請求項２】
前記制御器は、前記燃料電池の発電継続中において、前記第１温度検知器の検知温度が前記第１閾値を下回ると、前記少なくともいずれか１つの動作を行う請求項１に記載の燃料電池システム。
【請求項３】
前記制御器は、前記燃料電池のアノードに供給される水素含有ガスに対して前記アノードで消費される水素含有ガスの水素消費割合が、予め設定された水素消費割合よりも高い場合において、前記第１温度検知器の検知温度が前記第１閾値を下回ると、前記少なくともいずれか１つの動作を行う請求項１または２に記載の燃料電池システム。
【請求項４】
前記制御器は、前記第１温度検知器の検知温度が前記第１閾値を下回ると、前記少なくともいずれか１つの動作を行った後、前記第１温度検知器の検知温度が、前記第１閾値よりも低い温度に予め設定された第２閾値を下回ると、前記燃料電池システムの運転を停止させる請求項１から３のいずれかに記載の燃料電池システム。
【請求項５】
前記制御器は、前記第１温度検知器の検知温度が前記第１閾値を下回ると、前記少なくともいずれか１つの動作を行った後、前記第１温度検知器の検知温度が、前記第１閾値よりも低い温度であって前記燃焼器の火炎が失火する直前の温度に予め設定された第３閾値を下回ると、前記燃料電池システムの運転を停止させる請求項１から３のいずれかに記載の燃料電池システム。
【請求項６】
前記燃料電池の温度を検知する第２温度検知器を備え、
前記制御器は、前記第１温度検知器の検知温度が前記第１閾値を下回ると、前記第２温度検知器の検知温度が、予め設定された第４閾値を超えないように、前記燃料電池のカソードに供給される空気に対して前記カソードで消費させる空気の割合を高くする動作を行う請求項１から５のいずれかに記載の燃料電池システム。
【請求項７】
前記燃料電池のカソードに空気を供給する空気供給器を備え、
前記制御器は、前記燃料電池のカソードに供給される空気に対して前記カソードで消費される空気の割合を高くする動作として、前記燃料電池のカソードに供給する空気の流量が減少するように前記空気供給器を制御する請求項１から６のいずれかに記載の燃料電池システム。
【請求項８】
前記改質器に原料を供給する原料供給器を備え、
前記制御器は、前記燃焼器の火炎が形成されている状態で、前記第１温度検知器の検知温度が、予め設定された第１閾値を下回ると、前記改質器に供給する原料の流量が増加するように前記原料供給器を制御する請求項１に記載の燃料電池システム。
【請求項９】
前記制御器は、前記燃焼器の火炎が形成されている状態で、前記第１温度検知器の検知温度が、予め設定された第１閾値を下回ると、前記燃料電池の発電量が下がるように前記燃料電池システムを制御する請求項１から６のいずれかに記載の燃料電池システム。
【請求項１０】
前記改質器に水を供給する水供給器を備え、
前記制御器は、前記改質器に供給される水の流量が減少するように前記水供給器を制御する請求項１から６のいずれかに記載の燃料電池システム。
【請求項１１】
固体酸化物型の燃料電池において、前記燃料電池のカソードに供給される空気と前記燃料電池のアノードに供給される水素含有ガスとを燃料として発電し、
前記燃料電池のアノードから排出されるアノードオフガスと前記燃料電池のカソードから排出されるカソードオフガスとが燃焼器で燃焼することで燃焼排ガスを生成し、
改質器において、原料の水蒸気改質により前記燃料電池のアノードに供給するための前記水素含有ガスを生成し、
温度検知器において、前記燃焼排ガスおよび前記燃焼器のうちの少なくとも一方の温度を検知し、
前記燃焼器の火炎が形成されている状態で、前記温度検知器の検知温度が、予め設定された閾値を下回ると、前記燃料電池のカソードに供給される空気に対して前記カソードで消費される空気の割合を高くする動作、および、前記改質器に供給される水の量を少なくする動作のうち、少なくともいずれか１つの動作が行われる燃料電池システムの運転方法。